(57)【要約】【課題】商品毎に表示項目の表示形態を適切且つ容易に設定することができる画像処理プログラム、コンピュータ読み取り可能な記録媒体、画像処理方法及び画像処理装置を提供する。【解決手段】画像処理プログラムＰは、商品に係る商品情報を取得し、商品情報に応じた複数の前記表示データを、所定条件に基づいて画像データに設定する設定処理をコンピュータに実行させ、設定処理では、商品情報として表示される複数の表示項目において、一の表示項目に係る表示データの表示形態を、他の複数の表示項目の状態に基づいて設定する。【選択図】図１７
2019139515.tif 000002
【特許請求の範囲】
【請求項１】
商品に係る文字又は画像の表示データを画像データに設定する画像処理プログラムであって、
前記商品に係る商品情報を取得し、前記商品情報に応じた複数の前記表示データを、所定条件に基づいて前記画像データに設定する設定処理をコンピュータに実行させ、
前記設定処理では、前記商品情報として表示される複数の表示項目において、一の前記表示項目に係る前記表示データの表示形態を、他の複数の前記表示項目の状態に基づいて設定する、画像処理プログラム。
【請求項２】
前記設定処理では、前記表示データについて複数の前記表示形態が設定可能な１つの前記画像データにおいて、前記表示データを設定する、請求項１に記載の画像処理プログラム。
【請求項３】
前記所定条件では、一の前記表示項目に対して、複数の他の前記表示項目のうち、所定の前記表示項目と関連付けられている、請求項１又は２に記載の画像処理プログラム。
【請求項４】
前記画像データにおいて設定可能である複数の前記表示データのレイアウトの設定を受け付ける受付処理を前記コンピュータに実行させ、
前記受付処理では、前記レイアウトの設定画面において、前記表示データの前記設定画面上での表示及び非表示の選択を受け付ける、請求項１〜３のいずれか一項に記載の画像処理プログラム。
【請求項５】
前記設定処理では、一の前記表示項目の前記表示データの大きさ及び／又は表示位置を、他の複数の前記表示項目の有無に応じて設定する、請求項１〜４のいずれか一項に記載の画像処理プログラム。
【請求項６】
前記設定処理では、他の複数の前記表示項目が前記所定条件を満たしている場合に、一の前記表示項目の前記表示データを強調させる、請求項１〜５のいずれか一項に記載の画像処理プログラム。
【請求項７】
前記設定処理では、他の複数の前記項目が前記所定条件を満たしている場合に、所定の前記表示データを前記画像データに設定する、請求項１〜６のいずれか一項に記載の画像処理プログラム。
【請求項８】
前記所定条件は、前記商品の定価からの割引率及び前記商品の売値の少なくとも一方を含む、請求項６又は７に記載の画像処理プログラム。
【請求項９】
前記所定条件は、前記商品が販売される状況を含んでいる、請求項６〜８のいずれか一項に記載の画像処理プログラム。
【請求項１０】
前記設定処理によって設定された前記画像データを出力する出力処理を前記コンピュータに実行させる、請求項１〜９のいずれか一項に記載の画像処理プログラム。
【請求項１１】
商品に係る文字又は画像の表示データを画像データに設定する画像処理プログラムを記憶するコンピュータ読み取り可能な記録媒体であって、
前記画像処理プログラムは、前記商品に係る商品情報を取得し、前記商品情報に応じた複数の前記表示データを、所定条件に基づいて前記画像データに設定する設定処理をコンピュータに実行させ、
前記設定処理では、前記商品情報として表示される複数の表示項目において、一の前記表示項目に係る前記表示データの表示形態を、他の複数の前記表示項目の状態に基づいて設定する、前記画像処理プログラムを記憶するコンピュータ読み取り可能な記録媒体。
【請求項１２】
商品に係る文字又は画像の表示データを画像データに設定する画像処理方法であって、
前記商品に係る商品情報を取得し、前記商品情報に応じた複数の前記表示データを、所定条件に基づいて前記画像データに設定する設定処理ステップを含み、
前記設定処理ステップでは、前記商品情報として表示される複数の表示項目において、一の前記表示項目に係る前記表示データの表示形態を、他の複数の前記表示項目の状態に基づいて設定する、画像処理方法。
【請求項１３】
商品に係る文字又は画像の表示データを画像データに設定する画像処理装置であって、
前記商品に係る商品情報を取得し、前記商品情報に応じた複数の前記表示データを、所定条件に基づいて前記画像データに設定する設定処理部を備え、
前記設定処理部では、前記商品情報として表示される複数の表示項目において、一の前記表示項目に係る前記表示データの表示形態を、他の複数の前記表示項目の状態に基づいて設定する、画像処理装置。
【請求項１４】
前記設定処理部で設定された前記画像データを出力する出力部を備える、請求項１３に記載の画像処理装置。
【発明の詳細な説明】
【技術分野】
【０００１】
本発明は、画像処理プログラム、コンピュータ読み取り可能な記録媒体、画像処理方法及び画像処理装置に関する。
【背景技術】
【０００２】
特許文献１に記載の印刷システムは、商品の販売条件を含む商品情報を印字するための画像データを印刷する印刷システムであり、販売条件の内容自体を表示する基本表示文字列を画像データの一部として設定する基本表示文字列設定手段と、販売条件が所定の基準を満足するときに、販売条件の付加的情報を表示する付加表示文字列を画像データの一部として設定する付加表示文字列設定手段と、画像データを印刷する印刷手段と、を備える。
【先行技術文献】
【特許文献】
【０００３】
【特許文献１】特開２００４−７８５５５号公報
【発明の概要】
【発明が解決しようとする課題】
【０００４】
店舗等に配置される商品のＰＯＰ（Point  of  Purchase）広告には、複数の表示項目（商品名、値段、産地、数量、単価等）が表示されている。ＰＯＰ広告において、各表示項目の視認性（認識性）を確保しつつ、購買意欲を高める等の効果を得るためには、各表示項目の表示形態（フォントサイズ、書体、色彩、表示位置等）を適切に設定することが求められる。ＰＯＰ広告に表示される表示項目は、商品毎に異なる。商品によっては、産地を示す表示項目が表示されなかったり、単価を示す表示項目が表示されなかったりする。そのため、商品毎に表示項目の表示形態を適切に設定することは容易ではない。
【０００５】
本発明の一側面は、商品毎に表示項目の表示形態を適切且つ容易に設定することができる画像処理プログラム、コンピュータ読み取り可能な記録媒体、画像処理方法及び画像処理装置を提供することを目的とする。
【課題を解決するための手段】
【０００６】
本発明の一側面に係る画像処理プログラムは、商品に係る文字又は画像の表示データを画像データに設定する画像処理プログラムであって、商品に係る商品情報を取得し、商品情報に応じた複数の表示データを、所定条件に基づいて画像データに設定する設定処理をコンピュータに実行させ、設定処理では、商品情報として表示される複数の表示項目において、一の表示項目に係る表示データの表示形態を、他の複数の表示項目の状態に基づいて設定する。
【０００７】
本発明の一側面に係る画像処理プログラムでは、設定処理において、商品情報として表示される複数の表示項目において、一の表示項目に係る表示データの表示形態を、他の複数の表示項目の状態に基づいて設定する。例えば、表示項目として「商品名」、「値段」、「産地」及び「コメント」が設定されている場合において、取得された商品の表示項目が「商品名」及び「値段」であるとする。この場合、画像処理プログラムでは、一の表示項目である「商品名」の表示データの表示形態を、他の複数の「値段」、「産地」及び「コメント」の状態に応じて変更する。例えば、画像処理プログラムでは、他の表示項目の「産地」及び「コメント」が選択されていないため、一の表示項目の「商品名」の表示を大きくする表示形態に設定する。これにより、画像処理プログラムでは、商品名の視認性の向上が図れると共に、無駄なスペースが設けられていない整った画像データを作成できる。このように、画像処理プログラムでは、商品毎に表示項目の表示形態を適切且つ容易に設定することができる。
【０００８】
一実施形態においては、設定処理では、表示データについて複数の表示形態が設定可能な１つの画像データにおいて、表示データを設定してもよい。この処理では、１つの画像データで、複数の表示形態の設定ができる。そのため、複数の画像データを用いなくてもよいため、構造の複雑化を回避できる。
【０００９】
一実施形態においては、所定条件では、一の表示項目に対して、複数の他の表示項目のうち、所定の表示項目と関連付けられていてもよい。この処理では、一の表示項目の表示データの表示形態に関連する他の表示項目の状態に基づいて、一の表示項目の表示データの表示形態を設定できる。すなわち、一の表示項目の表示データの表示形態の設定に必要な他の表示項目のみを用いて、表示形態を設定できる。そのため、画像処理プログラムでは、構造の複雑化を回避できる。
【００１０】
一実施形態においては、画像データにおいて設定可能である複数の表示データのレイアウトの設定を受け付ける受付処理をコンピュータに実行させ、受付処理では、レイアウトの設定画面において、表示データの設定画面上での表示及び非表示の選択を受け付けてもよい。この処理では、設定画面において表示データのレイアウトを作成しているときに、設定画面における表示データの表示及び非表示を作業者が任意に設定できる。
【００１１】
一実施形態においては、設定処理では、一の表示項目の表示データの大きさ及び／又は表示位置を、他の複数の表示項目の有無に応じて設定してもよい。この処理では、例えば、他の表示項目が無い場合には、一の表示項目の表示データの大きさが大きく設定される。そのため、画像データにおける表示領域において無駄な余白が形成されないため、表示領域を有効に活用できる。
【００１２】
一実施形態においては、設定処理では、他の複数の表示項目が所定条件を満たしている場合に、一の表示項目の表示データを強調させてもよい。この処理では、一の表示項目が強調された画像データを作成できる。そのため、画像データに基づいて作成されたＰＯＰ広告において、一の表示項目に対して注目を集めることが可能となる。
【００１３】
一実施形態においては、設定処理では、他の複数の項目が所定条件を満たしている場合に、所定の表示データを画像データに設定してもよい。この処理では、商品の販売を促進し得る表示データを画像データに設定できる。
【００１４】
一実施形態においては、所定条件は、商品の定価からの割引率及び商品の売値の少なくとも一方を含んでいてもよい。この場合、商品がお買い得であることを強調できる。したがって、画像データに基づいて作成されたＰＯＰ広告においては、購買意欲を高める等の効果を得ることが可能となる。
【００１５】
一実施形態においては、所定条件は、商品が販売される状況を含んでいてもよい。この場合、商品が販売される時期（季節）、時間、地域等の状況に応じて、表示データを強調したり、所定の表示データを設定したりできる。そのため、状況に応じた内容の画像データが作成できる。したがって、画像データに基づいて作成されたＰＯＰ広告においては、購買意欲を高める等の効果を得ることが可能となる。
【００１６】
一実施形態においては、設定処理によって設定された画像データを出力する出力処理をコンピュータに実行させてもよい。この処理では、画像データを、印刷装置等に出力する。そのため、画像データを印刷して、ＰＯＰ広告等を作成できる。
【００１７】
本発明の一側面に係るコンピュータ読み取り可能な記録媒体は、商品に係る文字又は画像の表示データを画像データに設定する画像処理プログラムを記憶するコンピュータ読み取り可能な記録媒体であって、画像処理プログラムは、商品に係る商品情報を取得し、商品情報に応じた複数の表示データを、所定条件に基づいて画像データに設定する設定処理をコンピュータに実行させ、設定処理では、商品情報として表示される複数の表示項目において、一の表示項目に係る表示データの表示形態を、他の複数の表示項目の状態に基づいて設定する、画像処理プログラムを記憶する。
【００１８】
本発明の一側面に係るコンピュータ読み取り可能な記録媒体では、画像処理プログラムの設定処理において、商品情報として表示される複数の表示項目において、一の表示項目に係る表示データの表示形態を、他の複数の表示項目の状態に基づいて設定する。例えば、表示項目として「商品名」、「値段」、「産地」及び「コメント」が設定されている場合において、取得された商品の表示項目が「商品名」及び「値段」であるとする。この場合、画像処理プログラムでは、一の表示項目である「商品名」の表示データの表示形態を、他の複数の「値段」、「産地」及び「コメント」の状態に応じて変更する。例えば、画像処理プログラムでは、他の表示項目の「産地」及び「コメント」が選択されていないため、一の表示項目の「商品名」の表示を大きくする表示形態に設定する。これにより、画像処理プログラムでは、商品名の視認性の向上が図れると共に、無駄なスペースが設けられていない画像データを作成できる。このように、画像処理プログラムを記憶するコンピュータ読み取り可能な記録媒体では、商品毎に表示項目の表示形態を適切且つ容易に設定することができる。
【００１９】
本発明の一側面に係る画像処理方法は、商品に係る文字又は画像の表示データを画像データに設定する画像処理方法であって、商品に係る商品情報を取得し、商品情報に応じた複数の表示データを、所定条件に基づいて画像データに設定する設定処理ステップを含み、設定処理ステップでは、商品情報として表示される複数の表示項目において、一の表示項目に係る表示データの表示形態を、他の複数の表示項目の状態に基づいて設定する。
【００２０】
本発明の一側面に係る画像処理方法では、設定処理ステップにおいて、商品情報として表示される複数の表示項目において、一の表示項目に係る表示データの表示形態を、他の複数の表示項目の状態に基づいて設定する。例えば、表示項目として「商品名」、「値段」、「産地」及び「コメント」が設定されている場合において、取得された商品の表示項目が「商品名」及び「値段」であるとする。この場合、画像処理方法では、一の表示項目である「商品名」の表示データの表示形態を、他の複数の「値段」、「産地」及び「コメント」の状態に応じて変更する。例えば、画像処理方法では、他の表示項目の「産地」及び「コメント」が選択されていないため、一の表示項目の「商品名」の表示を大きくする表示形態に設定する。これにより、画像処理方法では、商品名の視認性の向上が図れると共に、無駄なスペースが設けられていない画像データを作成できる。このように、画像処理方法では、商品毎に表示項目の表示形態を適切且つ容易に設定することができる。
【００２１】
本発明の一側面に係る画像処理装置では、商品に係る文字又は画像の表示データを画像データに設定する画像処理装置であって、商品に係る商品情報を取得し、商品情報に応じた複数の表示データを、所定条件に基づいて画像データに設定する設定処理部を備え、設定処理部では、商品情報として表示される複数の表示項目において、一の表示項目に係る表示データの表示形態を、他の複数の表示項目の状態に基づいて設定する。
【００２２】
本発明の一側面に係る画像処理装置では、設定処理部は、商品情報として表示される複数の表示項目において、一の表示項目に係る表示データの表示形態を、他の複数の表示項目の状態に基づいて設定する。例えば、表示項目として「商品名」、「値段」、「産地」及び「コメント」が設定されている場合において、取得された商品の表示項目が「商品名」及び「値段」であるとする。この場合、画像処理装置では、一の表示項目である「商品名」の表示データの表示形態を、他の複数の「値段」、「産地」及び「コメント」の状態に応じて変更する。例えば、画像処理装置では、他の表示項目の「産地」及び「コメント」が選択されていないため、一の表示項目の「商品名」の表示を大きくする表示形態に設定する。これにより、画像処理装置では、商品名の視認性の向上が図れると共に、無駄なスペースが設けられていない画像データを作成できる。このように、画像処理装置では、商品毎に表示項目の表示形態を適切且つ容易に設定することができる。
【発明の効果】
【００２３】
本発明の一側面によれば、商品毎に表示項目の表示形態を適切且つ容易に設定することができる。
【図面の簡単な説明】
【００２４】
【図１】図１は、一実施形態に係るＰＯＰ作成システムを示す図である。
【図２】図２は、コンピュータの一般的なハードウェア構成を示す図である。
【図３】図３は、ＰＯＰ作成装置の構成を示す図である。
【図４】図４は、フォーマット作成画面を示す図である。
【図５】図５は、フォーマット作成画面を示す図である。
【図６】図６は、フォーマット作成画面を示す図である。
【図７】図７は、フォーマット作成画面を示す図である。
【図８】図８は、フォーマット作成画面を示す図である。
【図９】図９は、リンク設定ウィンドウを示す図である。
【図１０】図１０は、フォーマット作成画面を示す図である。
【図１１】図１１は、リンク設定ウィンドウを示す図である。
【図１２】図１２は、画像イメージ画面を示す図である。
【図１３】図１３は、画像イメージ画面を示す図である。
【図１４】図１４は、画像イメージ画面を示す図である。
【図１５】図１５は、画像を示す図である。
【図１６】図１６は、画像を示す図である。
【図１７】図１６は、画像を示す図である。
【図１８】図１８は、記録媒体に記録されているプログラムを示す図である。
【発明を実施するための形態】
【００２５】
以下、添付図面を参照して、本発明の好適な実施形態について詳細に説明する。なお、図面の説明において同一又は相当要素には同一符号を付し、重複する説明は省略する。
【００２６】
図１に示されるように、ＰＯＰ作成システム１は、ＰＯＰ作成装置（画像処理装置）３と、プリンター５と、を備えている。ＰＯＰ作成システム１は、チラシ、ポスター、ＰＯＰ（Point  of  Purchase）広告等を作成するシステムである。本実施形態では、ＰＯＰ広告を作成する形態を一例に説明する。
【００２７】
プリンター５は、ＰＯＰ作成装置３から送信された印刷情報に基づいて印刷を行う。プリンター５は、例えば、ＰＯＰ作成装置３とネットワークを介して接続されるネットワークプリンタ、又は、ＰＯＰ作成装置３と直接的に接続されるローカルプリンタである。
【００２８】
ＰＯＰ作成装置３は、コンピュータで構成されている。図２に、コンピュータ１００の一般的なハードウェア構成を示す。コンピュータ１００は、オペレーティングシステムやアプリケーション・プログラムなどを実行するプロセッサ（例えばＣＰＵ）１０１と、ＲＯＭ及びＲＡＭで構成される主記憶部１０２と、ハードディスク、フラッシュメモリ等で構成される補助記憶部１０３と、ネットワークカード又は無線通信モジュールで構成される通信制御部１０４と、キーボードやマウスなどの入力装置１０５と、モニタなどの出力装置１０６と、を備える。
【００２９】
ＰＯＰ作成装置３は、商品に係る文字又は画像の表示データを画像データに設定して、ＰＯＰ広告の画像を作成する。ＰＯＰ作成装置３は、フォーマット作成部３０と、商品情報取得部３２と、レイアウト設定部（設定処理部）３４と、出力部３６と、を備える。ＰＯＰ作成装置３では、ＰＯＰ作成プログラム（画像処理プログラム）Ｐ（図１８参照）が実行されることにより、フォーマット作成部３０、商品情報取得部３２、レイアウト設定部３４及び出力部３６が機能する。
【００３０】
フォーマット作成部３０は、出力装置１０６に所定の画面を表示させることにより、ユーザから入力装置１０５での入力を受け付けて、ＰＯＰ広告のフォーマットを作成する。フォーマット作成部３０によるフォーマットの作成方法について、以下詳細に説明する。
【００３１】
フォーマット作成部３０は、フォーマットとなる画像データを作成する。図４に示されるように、フォーマット作成部３０は、フォーマット作成画面Ｄを出力装置１０６に表示させる。フォーマット作成画面Ｄには、メインウィンドウＷ１と、選択ウィンドウＷ２と、が表示される。メインウィンドウＷ１には、ＰＯＰ広告のイメージを示す画像Ｇが表示される。フォーマット作成部３０は、「作成」のタブＴ１が選択されると、選択ウィンドウＷ２を表示する。
【００３２】
選択ウィンドウＷ２には、複数の商品項目が表示されている。本実施形態では、選択ウィンドウＷ２には、商品項目として、「コメント１」、「コメント２」、「メーカー・産地」、「商品名１」、「商品名２」、「商品名３」、「単位」、「規格」、「売価（税抜）」、「売価（税込）」、「通常売価」、「商品コード」、「バーコード」、「ＪＡＮコード」が表示されている。選択ウィンドウＷ２に表示させる商品項目は、任意に設定できる。また、商品項目に加えて、画像を設定することもできる。
【００３３】
フォーマット作成部３０は、選択ウィンドウＷ２において、商品項目の選択を受け付けると、メインウィンドウＷ１の画像Ｇに、選択された商品項目を表示させる。各商品項目の配置位置は、予め設定されている。フォーマット作成部３０は、商品項目が選択されると、画像Ｇの所定の位置に商品項目を配置する。本実施形態では、「コメント１」、「コメント２」、「メーカー・産地」、「商品名１」、「商品名２」、「商品名３」、「単位」、「規格」、「売価（税抜）」、「売価（税込）」及び「バーコード」が選択されて、画像Ｇに表示されている。「商品名１」、「商品名２」及び「商品名３」のそれぞれは、文字の大きさ及び文字の配置位置が異なっている。具体的には、「商品名１」は、「メーカー・産地」と「コメント２」との間に配置される。「商品名２」は、「コメント２」と重なる領域に配置されると共に、「商品名１」よりも文字が大きい。「商品名３」は、「メーカー・産地」と重なる領域に配置されると共に、「商品名１」よりも文字が大きい。なお、所定の商品項目が予め配置されているフォーマットを選択して、そのフォーマットに対して、商品項目の選択を行ってもよい。
【００３４】
図５に示されるように、フォーマット作成部３０は、「配置リスト」のタブＴ２が選択されると、配置リストウィンドウＷ３を表示させる。配置リストウィンドウＷ３には、選択ウィンドウＷ２で選択された商品項目が表示される。フォーマット作成部３０は、配置リストウィンドウＷ３において、商品項目の設定画面上での表示又は非表示の選択を受け付ける（受付処理）。フォーマット作成部３０は、例えば、「商品名２」及び「商品名３」の表示項目について、非表示が選択された場合には、図６に示されるように、画像Ｇにおいて、「商品名２」及び「商品名３」を非表示にする。
【００３５】
図７に示されるように、フォーマット作成部３０は、「リンク」のタブＴ３が選択されると、リンクウィンドウＷ４を表示させる。リンクウィンドウＷ４には、リンクの設定状況が表示される。一の表示項目について、他の一又は複数の表示項目の状態に基づいて、一の表示項目を所定の表示形態（レイアウト）に結びつける機能である。図７及び図８に示す例では、「商品名」の表示項目について、リンクが設定されている形態を示している。以下においては、リンクの種別として、「リンク１」、「リンク２」及び「リンク３」を一例に説明する。
【００３６】
リンクウィンドウＷ４には、リンクの種別（図７では、「リンク２」）と、リンクの内容と、「リンク設定」のボタンＢ１と、が表示される。最初に、「リンク１」について説明する。「リンク１」では、一の表示項目の表示データの大きさ及び／又は表示位置、表示の有無、或いは、表示内容の変更を、他の表示項目に応じて変更するように設定されている。例えば、リンク１では、他の表示項目が所定状態である場合（例えば、「売価（税抜）」の金額が所定条件を満たしている場合）、一の表示項目（例えば、「コメント２」）を表示させる（表示有りにする）。具体的には、例えば、「売価（税抜）」が所定条件を満たす場合、「コメント２」（例えば、「特売！」）を表示させる。このように、「リンク１」は、一の表示項目の表示形態を、他の一の表示項目の状態に基づいて設定する簡易的なレイアウト設定に用いられる。一の表示項目の表示形態を、他の複数の表示項目の状態に基づいて設定する細やかなレイアウト設定を行う場合は、以下に説明する「リンク２」又は「リンク３」が用いられる。
【００３７】
続いて、「リンク２」について説明する。「リンク２」では、一の表示項目の表示データの大きさ及び／又は表示位置を、他の複数の表示項目の有無に応じて変更するように設定されている。
【００３８】
図７に示されるように、メインウィンドウＷ１には、リンクに応じた画像Ｇ１が表示される。一の「リンク２」では、「メーカー・産地」が「あり」、且つ、「コメント２」が「なし」の場合に、「商品名２」の表示形態が選択されるように設定されている。すなわち、「リンク２」は、「メーカー・産地」を表示し、「コメント２」を表示しない場合には、「コメント２」の領域に「商品名２」が表示される表示形態が選択されるように設定されている。図７には、「リンク２」に対応した画像Ｇ１として、「商品名２」が設定された場合のレイアウトが表示されている。
【００３９】
また、図８に示されるように、他の「リンク２」では、「メーカー・産地」が「なし」、且つ、「コメント２」が「あり」の場合に、「商品名３」の表示形態が選択されるように設定されている。すなわち、「リンク２」は、「メーカー・産地」を表示せず、「コメント２」を表示する場合には、「メーカー・産地」の領域に「商品名３」が表示される表示形態が選択されるように設定されている。図８には、「リンク２」に対応した画像Ｇ２として、「商品名３」が設定された場合のレイアウトが表示されている。なお、「メーカー・産地」が「あり」、且つ、「コメント２」が「あり」の場合には、「リンク２」の条件に一致しないため、「メーカー・産地」及び「コメント２」を表示させる画像Ｇ（図６参照）の表示形態が選択される。なお、本実施形態においては、説明の便宜上、「商品名１」、「商品名２」及び「商品名３」と記載しているが、各表示項目は、いずれも同一の表示項目（商品名）である。すなわち、例えば、商品名が「商品Ａ（具体的には、例えば、にんじん）」である場合、「商品名１」、「商品名２」及び「商品名３」はいずれも、「商品Ａ（にんじん）」である。
【００４０】
図９に示されるように、リンクは、リンク設定ウィンドウＷ５で設定される。フォーマット作成部３０は、図７又は図８に示されるリンクウィンドウＷ４において、「リンク設定」のボタンＢ１が選択されると、リンク設定ウィンドウＷ５を表示させる。
【００４１】
リンク設定ウィンドウＷ５には、設定するリンクを選択するラジオボタンと、リンクの設定内容と、リンク元項目の表示又は非表示を選択するラジオボタンと、が表示される。フォーマット作成部３０は、リンクを選択するラジオボタンが選択されると、選択されたリンクの設定内容を表示させる。図９では、一の「リンク２」の設定画面を表示している。「リンク２」では、条件の１つ目として、「メーカー・産地」が「あり」が設定され、条件の２つ目として、「コメント２」が「なし」が設定されている。「リンク１」では、２つの条件に一致する場合に、「商品名２」を表示する表示形態が選択されるように設定されている。他の「リンク２」では、条件の１つ目として、「メーカー・産地」が「なし」が設定され、条件の２つ目として、「コメント２」が「あり」が設定されている。「リンク２」では、２つの条件に一致する場合に、「商品名３」を表示する表示形態が選択されるように設定されている。
【００４２】
続いて、「リンク３」について説明する。図１０に示されるように、メインウィンドウＷ１には、リンクに応じた画像Ｇ３が表示される。「リンク３」では、「リンク項目１」及び「リンク項目２」の条件を満たした場合に、表示形態が変更されるように設定されている。
【００４３】
図１１に示されるように、「リンク３」は、「コメント１」の表示項目について設定されている。「リンク３」では、他の複数の表示項目が所定条件を満たす場合に、「コメント１」の表示形態を変更するように設定されている。所定条件には、商品の定価（通常売価（税抜））からの割引率及び商品の売値（売価（税抜））の少なくとも一方を含む。
【００４４】
「リンク３」では、１つ目の条件として、「通常売価（税抜）」が「１０００」以上であり、２つの条件として、「計算１」が「５０」よりも大きい場合に、「コメント１」に「★★半額以下★★」を表示させるように設定されている。すなわち、「リンク３」では、他の複数の表示項目が所定条件を満たしている場合に、所定の表示データ（★★半額以下★★）を画像データに設定する。「計算１」は、図１０に示される「計算式」から算出される値である。「リンク３」では、上記２つの条件を満たさない場合には、商品情報から取得される規定の「コメント１」を表示させるように設定されている。なお、上記「リンク３」では、コメント１の表示内容を変更する形態を示しているが、「コメント１」に加えて、「★★半額以下★★」のコメントの表示項目を追加するように設定されていてもよい。コメントとしては、例えば、「５０％ＯＦＦ」等であってもよい。また、コメントとしては、計算によって算出される割引率に応じて、「２０％ＯＦＦ」、「４０％ＯＦＦ」等であってもよい。
【００４５】
リンクとしては、上記のように、コメントを変更することに加えて、文字の表示を強調するように設定されていてもよい。具体的には、例えば、「売価（税抜き）」の表示を強調させるように設定にされていてもよい。表示の強調方法としては、例えば、文字の色を反転させてもよいし、文字を太くしてもよい。
【００４６】
リンクは、条件として、商品が販売される状況が設定されていてもよい。商品が販売される状況とは、例えば、時間、時期、地域である。例えば、リンクは、商品が販売される時期に応じて、「コメント１」及び／又は「コメント２」の表示形態を変更するように設定されている。時期（季節）は、例えば、春（３月〜５月）、夏（６月〜８月）、秋（９月〜１１月）、冬（１２〜２月）に設定されている。時期は、コンピュータ１００に設定されている時計から取得され得る。リンクは、上記の時期（春、夏、秋、冬）毎にコメントが設定されており、時期に応じたコメントを表示させるように設定されている。コメントとしては、例えば、「夏」の場合には、「ビールのお供に！」、「冬」の場合には、「鍋に最適！」等が設定されている。
【００４７】
また、商品が販売される時間に応じて、「コメント１」及び／又は「コメント２」の表示形態を変更するように設定されてもよい。時間は、例えば、０時〜６時、６時〜１２時、１２時〜１８時、１８時〜２４時に設定されている。リンクは、上記の時間毎にコメントが設定されており、時間に応じたコメントを表示させるように設定されている。コメントとしては、例えば、「６時〜１２時」の場合には、昼食に係るコメント、「１２時〜１８時」の場合には、夕食に係るコメント等が設定されている。
【００４８】
また、商品が販売される地域に応じて、「コメント１」及び／又は「コメント２」の表示形態を変更するように設定されてもよい。地域は、例えば、東日本、西日本等に設定されている。地域は、店舗情報等から取得され得る。リンクは、地域毎にコメントが設定されており、地域に応じたコメントを表示させるように設定されている。
【００４９】
フォーマット作成部３０は、フォーマット作成画面Ｄにおいて、「ＯＫ」のボタンＢ２が選択されると、作成した画像Ｇを画像データとして記憶させる。フォーマット作成部３０は、複数の表示形態が設定可能な１つの画像データをフォーマットデータとして作成する。これにより、本実施形態では、１つの画像データにおいて、複数のバリエーションのＰＯＰ広告が作成できる。
【００５０】
商品情報取得部３２は、ユーザからのＰＯＰ広告作成の指示を受け付けたことに応じて、商品情報を取得する。商品情報取得部３２は、商品選択画面においてユーザによって選択された商品に係る商品情報を取得する。商品選択画面では、例えば、商品と、当該商品に対応するチェックボックスと、が表示されており、商品を指定するチェックボックスへの入力を受け付ける。商品情報取得部３２は、指定された商品情報を、商品マスタから取得する。商品マスタは、ＰＯＰ作成装置３に記憶されていてもよいし、ネットワーク上のサーバ装置に記憶されていてもよい。商品情報取得部３２は、取得した商品情報をレイアウト設定部３４に出力する。
【００５１】
レイアウト設定部３４は、商品情報に基づいて、ＰＯＰ広告の画像データを作成する（画像処理方法を実行する）。レイアウト設定部３４は、商品情報を受け取ると、商品情報に応じた複数の表示データを、所定条件に基づいて画像データに設定する（設定処理ステップ）。レイアウト設定部３４は、商品情報として表示される複数の表示項目において、一の表示項目に係る表示データの表示形態を、他の複数の表示項目の状態に基づいて設定する。レイアウト設定部３４は、作成した画像を画像イメージ画面Ｄ１（図１２参照）に表示させる。
【００５２】
レイアウト設定部３４は、商品情報として、例えば、「商品名」、「メーカー・産地」、「規格」、「売価（税込）」、「売価（税抜）」及び「コメント１」を取得した場合には、各表示項目に基づいて、図１２に示される画像Ｇ４のように表示形態を設定する。すなわち、レイアウト設定部３４は、各表示項目の表示データを、画像データに設定する。レイアウト設定部３４は、商品情報に「コメント２」が含まれていないため、「リンク１」に基づいて、「商品名２」の表示形態で「商品名」を表示させる。すなわち、レイアウト設定部３４は、「商品名（商品Ａ）」の表示データを「商品名２」の表示形態で画像データに設定する。
【００５３】
レイアウト設定部３４は、商品情報として、例えば、「商品名」、「メーカー・産地」、「規格」、「売価（税込）」、「売価（税抜）」、「コメント１」及び「コメント２」を取得した場合には、各表示項目に基づいて、図１３に示される画像Ｇ５のように表示形態を設定する。レイアウト設定部３４は、商品情報に「メーカー・産地」及び「コメント２」が含まれており、リンク１又はリンク２の条件に該当しないため、リンクが設定されていない表示形態で「商品名」を表示させる。すなわち、レイアウト設定部３４は、「商品名（商品Ｂ）」の表示データを「商品名１」の表示形態で画像データに設定する。
【００５４】
レイアウト設定部３４は、商品情報として、例えば、「商品名」、「規格」、「売価（税込）」、「売価（税抜）」、「コメント１」及び「コメント２」を取得した場合には、各表示項目に基づいて、図１４に示される画像Ｇ６のように表示形態を設定する。レイアウト設定部３４は、商品情報に「メーカー・産地」が含まれていないため、「リンク２」に基づいて、「商品名３」の表示形態で「商品名」を表示させる。すなわち、レイアウト設定部３４は、「商品名（商品Ｃ）」の表示データを「商品名３」の表示形態で画像データに設定する。
【００５５】
図１５に示されるように、レイアウト設定部３４は、例えば、「商品名」、「メーカー・産地」、「規格」、「売価（税込）」、「売価（税抜）」、「通常売価（税抜）」及び「コメント１」を取得した場合には、各表示項目に基づいて表示形態を設定する。図１５に示される画像Ｇ７の例では、「売価（税抜）」及び「通常売価（税抜）」が「リンク３」の条件を満たしていない。そのため、レイアウト設定部３４は、「コメント１」について、商品情報から取得される規定のコメント（「新鮮な野菜！！」）を設定する。
【００５６】
図１６に示されるように、レイアウト設定部３４は、上記の「売価（税抜）」及び「通常売価（税抜）」が「リンク３」の条件を満たしている場合、「コメント１」の「新鮮な野菜！」のコメントを「★★半額以下★★」に変更した画像Ｇ８を作成する。また、レイアウト設定部３４は、上記の「売価（税抜）」及び「通常売価（税抜）」が「リンク３」の条件を満たしている場合、図１７に示されるように、「売価（税抜）」について、文字の色を反転して表示させて画像Ｇ９を作成してもよい。
【００５７】
レイアウト設定部３４は、商品が販売される状況が条件としてリンクが設定されている場合には、例えば、「コメント１」の内容を、時間、時期、地域等に基づいて変更した画像を作成する。
【００５８】
以上の作業を経て作成されたフォーマットとなる画像データに対して、表示項目のデータリスト（販売する商品のデータリスト）を流し込むことにより、データリストの各々の商品の表示項目（上記において説明した「商品名」、「メーカー・産地」、「規格」、「売価（税抜）」、「売価（税込）」、「コメント」に加えて、商品に対応する「バーコード」、「製造日」、「消費期限」等及び所定の定型的な項目（「販売者の名称」、「販売者の住所」、「販売者のロゴ」等が適切に配置された表示データ（ＰＯＰ）が、各々の商品に対応して自動的に生成される。
【００５９】
図３に示されるように、出力部３６は、画像イメージ画面Ｄ１（図１２参照）において、「印刷」のボタンＢ３が選択されると、表示データが設定された画像データをプリンター５に出力する（出力処理）。
【００６０】
図１８に示されるように、ＰＯＰ作成プログラムＰは、コンピュータ読み取り可能な記録媒体７に記憶され得る。記録媒体７に格納されたＰＯＰ作成プログラムＰは、フォーマット作成モジュールＰ１、商品情報取得モジュールＰ２、レイアウト設定モジュール（設定処理）Ｐ３及び出力モジュール（出力部）Ｐ４と、を実行することにより実現される機能はそれぞれ、フォーマット作成部３０、商品情報取得部３２、レイアウト設定部３４及び出力部３６の機能と同様である。
【００６１】
ＰＯＰ作成プログラムＰは、記録媒体７におけるプログラム記録領域に記録されている。記録媒体７は、例えばＣＤ−ＲＯＭ、ＤＶＤ、ＲＯＭ、半導体メモリ等の記録媒体によって構成されている。ＰＯＰ作成プログラムＰは、搬送波に重畳されたコンピュータデータ信号として通信ネットワークを介して提供されてもよい。
【００６２】
以上説明したように、本実施形態に係るＰＯＰ作成装置３では、レイアウト設定部３４において、商品情報として表示される複数の表示項目において、一の表示項目に係る表示データの表示形態を、他の複数の表示項目の状態に基づいて設定する。例えば、表示項目として「商品名」、「値段」、「産地」及び「コメント」が設定されている場合において、取得された商品の表示項目が「商品名」及び「値段」であるとする。この場合、レイアウト設定部３４は、一の表示項目である「商品名」の表示データの表示形態を、他の複数の「値段」、「産地」及び「コメント」の状態に応じて変更する。例えば、レイアウト設定部３４は、他の表示項目の「産地」及び「コメント」が選択されていないため、一の表示項目の「商品名」の表示を大きくする表示形態に設定する。これにより、レイアウト設定部３４は、商品名の視認性の向上が図れると共に、無駄なスペースが設けられていない整った画像データを作成できる。このように、ＰＯＰ作成装置３では、商品毎に表示項目の表示形態を適切且つ容易に設定することができる。
【００６３】
本実施形態に係るＰＯＰ作成装置３では、レイアウト設定部３４は、表示データについて複数の表示形態が設定可能な１つの画像データにおいて、表示データを設定する。本実施形態では、フォーマット作成部３０が、複数の表示形態が設定可能な１つの画像データをフォーマットデータとして作成する。そのため、１つの画像データで、複数の表示形態の設定ができる。したがって、ＰＯＰ作成装置３では、複数の画像データを用いなくてもよいため、構造の複雑化を回避できる。た、作成された１つの画像データに対して、表示項目のデータリスト（販売する商品のデータリスト）を流し込むことにより、データリストの各々の表示項目（商品）に対応したＰＯＰ（画像データ）が各々自動的に生成されるので、ＰＯＰ作成の手間を大幅に削減することができる。
【００６４】
本実施形態に係るＰＯＰ作成装置３では、所定条件は、一の表示項目に対して、複数の他の表示項目のうち、所定の表示項目と関連付けられている。具体的には、例えば、「商品面」に対して、「メーカー・産地」及び「コメント２」のみが関連付けられている。これにより、レイアウト設定部３４は、一の表示項目の表示データの表示形態に関連する他の表示項目の状態に基づいて、一の表示項目の表示データの表示形態を設定できる。すなわち、レイアウト設定部３４は、一の表示項目の表示データの表示形態の設定に必要な他の表示項目のみを用いて、表示形態を設定できる。そのため、ＰＯＰ作成装置３では、構造の複雑化を回避できると共に、処理の軽減が図れる。
【００６５】
本実施形態に係るＰＯＰ作成装置３では、フォーマット作成部３０は、配置リストウィンドウＷ３において、商品項目の設定画面上での表示又は非表示の選択を受け付ける。これにより、画像データにおいて表示データのレイアウトを作成しているときに、表示データの表示及び非表示を作業者が任意に設定できる。その結果、作業時に、作業対象となる商品項目に対して複数の（典型的には同種の）他の商品項目が重畳して表示された状態で作業する困難を解消することができるので、作業負担を軽減することができる。
【００６６】
本実施形態に係るＰＯＰ作成装置３では、レイアウト設定部３４は、一の表示項目の表示データの大きさ及び／又は表示位置を、他の複数の表示項目の有無に応じて設定してもよい。この構成では、例えば、他の表示項目が無い場合には、一の表示項目の表示データの大きさが大きく設定される。そのため、画像データにおける表示領域において無駄な余白が形成されないため、表示領域を有効に活用できる。
【００６７】
本実施形態に係るＰＯＰ作成装置３では、レイアウト設定部３４は、リンクにおいて他の複数の表示項目が所定条件を満たしている場合に、一の表示項目の表示データを強調させてもよい。この構成では、一の表示項目が強調された画像データを作成できる。そのため、画像データに基づいて作成されたＰＯＰ広告において、一の表示項目に対して注目を集めることが可能となる。
【００６８】
本実施形態に係るＰＯＰ作成装置３では、レイアウト設定部３４は、リンクにおいて他の複数の項目が所定条件を満たしている場合に、所定の表示データを画像データに設定してもよい。この処理では、商品の販売を促進し得る表示データを画像データに設定できる。
【００６９】
本実施形態に係るＰＯＰ作成装置３では、リンクの所定条件は、商品の定価からの割引率及び商品の売値の少なくとも一方を含んでいてもよい。この場合、商品がお買い得であることを強調できる。したがって、画像データに基づいて作成されたＰＯＰ広告においては、購買意欲を高める等の効果を得ることが可能となる。
【００７０】
本実施形態に係るＰＯＰ作成装置３では、リンクの所定条件は、商品が販売される状況を含んでいてもよい。この場合、商品が販売される時期（季節）、時間、地域等の状況に応じて、表示データを強調したり、所定の表示データを設定したりできる。そのため、状況に応じた内容の画像データが作成できる。したがって、画像データに基づいて作成されたＰＯＰ広告においては、購買意欲を高める等の効果を得ることが可能となる。
【００７１】
以上、本発明の実施形態について説明してきたが、本発明は必ずしも上述した実施形態に限定されるものではなく、その要旨を逸脱しない範囲で様々な変更が可能である。
【００７２】
上記実施形態では、フォーマット作成部３０が、複数の表示形態が設定可能な１つの画像データをフォーマットデータとして作成する形態を一例に説明した。しかし、表示形態の異なる複数の画像データをフォーマットデータとして作成して用いてもよい。
【００７３】
上記実施形態では、「リンク２」について、２つの表示項目の有無に基づいて、一の表示項目の表示形態を変更する形態を一例に説明した。しかし、「リンク２」では、３以上の複数（例えば１０個）の表示項目の有無に基づいて、一の表示項目の表示形態が変更されるように設定されてもよい。また、上記実施形態では、「リンク２」について、全ての表示項目の条件（「メーカー・産地」が「あり」、且つ、「コメント２」が「あり」となるＡＮＤ条件）が満たされる場合に表示形態が変更される一例を説明した。しかし、「リンク２」では、一部のリンク項目の条件（「メーカー・産地」が「あり」、又は、「コメント２」が「あり」となるＯＲ条件）が満たされる場合に表示形態が変更されるように設定されてもよい。
【００７４】
上記実施形態では、「リンク３」について、２つのリンク項目の条件が満たされた場合に、一の表示項目の表示形態を変更する形態を一例に説明した。しかし、「リンク３」では、３以上の複数のリンク項目の条件が満たされているか否かに基づいて、一の表示項目の表示形態が変更されるように設定されてもよい。また、上記実施形態では、「リンク３」について、全てのリンク項目の条件（「通常売価（税抜）」が「１０００」以上、且つ、「計算１」が「５０」よりも大きいとなるＡＮＤ条件）が満たされる場合に表示形態が変更される一例を説明した。しかし、「リンク３」では、一部のリンク項目の条件（「通常売価（税抜）」が「１０００」以上、又は、「計算１」が「５０」よりも大きいとなるＯＲ条件）が満たされる場合に表示形態が変更されるように設定されてもよい。
【００７５】
上記実施形態では、「商品名」、「コメント１」等の商品項目についてリンクを設定する形態を一例に説明した。しかし、他の商品項目に対しても、リンクを設定してもよい。また、上記実施形態では、リンクの設定に応じて、文字の大きさ及び表示位置を設定する形態を一例に説明した。しかし、文字の色、文字のフォント等を変更してもよい。また、画像データ（例えば、画像化された文字、イラスト及び／又は写真等）を表示する設定としてもよい。
【符号の説明】
【００７６】
３…ＰＯＰ作成装置（画像処理装置）、７…記録媒体、Ｐ…ＰＯＰ作成プログラム（画像処理プログラム）、Ｐ３…レイアウト設定モジュール（設定処理）、Ｐ４…出力モジュール（出力処理）。
【図１】
2019139515.tif 000003
【図２】
2019139515.tif 000004
【図３】
2019139515.tif 000005
【図４】
2019139515.tif 000006
【図５】
2019139515.tif 000007
【図６】
2019139515.tif 000008
【図７】
2019139515.tif 000009
【図８】
2019139515.tif 000010
【図９】
2019139515.tif 000011
【図１０】
2019139515.tif 000012
【図１１】
2019139515.tif 000013
【図１２】
2019139515.tif 000014
【図１３】
2019139515.tif 000015
【図１４】
2019139515.tif 000016
【図１５】
2019139515.tif 000017
【図１６】
2019139515.tif 000018
【図１７】
2019139515.tif 000019
【図１８】
2019139515.tif 000020